(57)【要約】【課題】収容室の湿度を確実に低く保つ。【解決手段】内容物が収容される収容室Ａを有する調湿容器１であって、その壁部１１には、収容室を画成する最内層１４と、最内層を収容室の反対側から囲繞する第１樹脂組成物層１２と、第１樹脂組成物層を収容室の反対側から囲繞する第２樹脂組成物層１３と、第２樹脂組成物層を収容室の反対側から囲繞する最外層１５と、が備えられ、第１樹脂組成物層は、第２樹脂組成物層より同一容積の空間に対する除湿能力が高く、第２樹脂組成物層は、第１樹脂組成物層より吸水可能量が大きく、最内層、および最外層はオレフィン系樹脂により形成され、第１樹脂組成物層、および第２樹脂組成物層は、吸湿剤の配合されたオレフィン系樹脂により形成され、第１樹脂組成物層と第２樹脂組成物層との間に、オレフィン系樹脂により形成された中間層１６が介在されている。【選択図】図１
2016193731.tif 000002
【特許請求の範囲】
【請求項１】
内容物が収容される収容室を有する調湿容器であって、
その壁部には、
前記収容室を画成する最内層と、
前記最内層を前記収容室の反対側から囲繞する第１樹脂組成物層と、
前記第１樹脂組成物層を前記収容室の反対側から囲繞する第２樹脂組成物層と、
前記第２樹脂組成物層を前記収容室の反対側から囲繞する最外層と、が備えられ、
前記第１樹脂組成物層は、前記第２樹脂組成物層より同一容積の空間に対する除湿能力が高く、前記第２樹脂組成物層は、前記第１樹脂組成物層より吸水可能量が大きく、
前記最内層、および前記最外層はオレフィン系樹脂により形成され、
前記第１樹脂組成物層、および前記第２樹脂組成物層は、吸湿剤の配合されたオレフィン系樹脂により形成され、
前記第１樹脂組成物層と前記第２樹脂組成物層との間に、オレフィン系樹脂により形成された中間層が介在されていることを特徴とする調湿容器。
【請求項２】
前記中間層の厚さは、前記第１樹脂組成物層、および前記第２樹脂組成物層の各厚さよりも薄くなっていることを特徴とする請求項１に記載の調湿容器。
【請求項３】
前記第１樹脂組成物層は、前記第２樹脂組成物層より単位重量当たりの前記除湿能力が高く、前記第２樹脂組成物層は、前記第１樹脂組成物層より単位重量当たりの吸水可能量が大きいことを特徴とする請求項１または２に記載の調湿容器。
【発明の詳細な説明】
【技術分野】
【０００１】
本発明は、調湿容器に関するものである。
【背景技術】
【０００２】
容器本体の収容室に密封された収容体は、密封後から需要者が容器本体を開封するまでの間に、湿気に起因して品質が劣化することがある。そのため従来から、例えば下記特許文献１に示されるような、容器本体の壁部に、吸湿剤が配合された樹脂組成物層を配設した構成が知られている。
【先行技術文献】
【特許文献】
【０００３】
【特許文献１】特開２００５−２２０１４９号公報
【発明の概要】
【発明が解決しようとする課題】
【０００４】
しかしながら、前記従来の調湿容器では、前記樹脂組成物層が、収容室のみならず外気中の湿気をも吸収することで、収容室の湿度を低く保つことが困難になるおそれがあった。
【０００５】
本発明は、このような事情を考慮してなされたもので、収容室の湿度を確実に低く保つことができる調湿容器を提供することを目的とする。
【課題を解決するための手段】
【０００６】
上記課題を解決して、このような目的を達成するために、本発明の調湿容器は、内容物が収容される収容室を有する調湿容器であって、その壁部には、前記収容室を画成する最内層と、前記最内層を前記収容室の反対側から囲繞する第１樹脂組成物層と、前記第１樹脂組成物層を前記収容室の反対側から囲繞する第２樹脂組成物層と、前記第２樹脂組成物層を前記収容室の反対側から囲繞する最外層と、が備えられ、前記第１樹脂組成物層は、前記第２樹脂組成物層より同一容積の空間に対する除湿能力が高く、前記第２樹脂組成物層は、前記第１樹脂組成物層より吸水可能量が大きく、前記最内層、および前記最外層はオレフィン系樹脂により形成され、前記第１樹脂組成物層、および前記第２樹脂組成物層は、吸湿剤の配合されたオレフィン系樹脂により形成され、前記第１樹脂組成物層と前記第２樹脂組成物層との間に、オレフィン系樹脂により形成された中間層が介在されていることを特徴とする。
【０００７】
本発明によれば、第２樹脂組成物層が、第１樹脂組成物層を収容室の反対側から囲繞しているので、外気の湿気が最外層を透過しても、第２樹脂組成物層に吸収されて第１樹脂組成物層に到達するのを抑制することができる。しかも、第２樹脂組成物層は、第１樹脂組成物層より吸水可能量が大きいので、例えば、密封後から開封までの期間が長くなったり、あるいはこの調湿容器が湿度の高い環境下に置かれたりしても、多量の湿気を第２樹脂組成物層に吸収させることが可能になり、第１樹脂組成物層に外気の湿気が到達するのを確実に抑えることができる。
したがって、前記除湿能力が第２樹脂組成物層より高い第１樹脂組成物層に、外気の湿気を吸収させ難くして、収容室内の湿気を集中して吸収させることが可能になり、収容室の湿度を確実に低く保つことができる。
また、第１樹脂組成物層および第２樹脂組成物層のうちのいずれか一方に吸収された湿気が他方に移行するのを、第１樹脂組成物層と第２樹脂組成物層との間の中間層により防止することが可能になり、外気の湿気は第２樹脂組成物層に吸収させ、かつ収容室の湿気は第１樹脂組成物層に吸収させることを確実に実現することができる。
また、最内層、第１樹脂組成物層、中間層、第２樹脂組成物層、および最外層が、オレフィン系樹脂で形成されているので、これらの各層を強固に接合することを容易かつ確実に実現することができる。
【０００８】
ここで、前記中間層の厚さは、前記第１樹脂組成物層、および前記第２樹脂組成物層の各厚さよりも薄くなってもよい。
【０００９】
この場合、中間層の厚さが、第１樹脂組成物層、および第２樹脂組成物層の各厚さよりも薄くなっているので、重量およびコストの上昇、並びに調湿容器の大型化を抑えることができる。
【００１０】
また、前記第１樹脂組成物層は、前記第２樹脂組成物層より単位重量当たりの前記除湿能力が高く、前記第２樹脂組成物層は、前記第１樹脂組成物層より単位重量当たりの吸水可能量が大きくてもよい。
【００１１】
この場合、第１樹脂組成物層が、第２樹脂組成物層より単位重量当たりの前記除湿能力が高く、第２樹脂組成物層が、第１樹脂組成物層より単位重量当たりの吸水可能量が大きいので、重量およびコストの上昇、並びに調湿容器の大型化を確実に抑えることができる。
【発明の効果】
【００１２】
本発明によれば、収容室の湿度を確実に低く保つことができる。
【図面の簡単な説明】
【００１３】
【図１】本発明に係る一実施形態として示した調湿容器の一部縦断面図である。
【発明を実施するための形態】
【００１４】
以下、図面を参照し、本発明の一実施形態について説明する。
本実施形態に係る調湿容器１は、図１に示されるように、内容物が収容される収容室Ａを有するとともに、壁部１１は、収容室Ａを画成する最内層１４と、最内層１４を収容室Ａの反対側から囲繞する第１樹脂組成物層１２と、第１樹脂組成物層１２を収容室Ａの反対側から囲繞する第２樹脂組成物層１３と、第２樹脂組成物層１３を収容室Ａの反対側から囲繞する最外層１５と、を備えている。
【００１５】
ここで、調湿容器１の壁部１１は有底筒状に形成されていて、第１樹脂組成物層１２、第２樹脂組成物層１３、最外層１５および最内層１４も有底筒状に形成されている。
最外層１５および最内層１４はそれぞれ、吸湿剤を含有しない、例えばポリエチレン、ポリプロピレン、若しくは環状オレフィン等のオレフィン系樹脂により形成される。
【００１６】
第１樹脂組成物層１２、および第２樹脂組成物層１３は、吸湿剤の配合された、例えばポリエチレン、若しくはポリプロピレン等のオレフィン系樹脂により形成されている。
吸湿剤としては、例えば酸化カルシウム、硫酸マグネシウム、モレキュラーシーブ、シリカゲル、塩化カルシウム、およびシリカアルミナゲルのうちの１つ若しくは複数の混合物が挙げられる。なお、モレキュラーシーブは、結晶性ゼオライトであって次の一般式（１）で表される。
Ｍ２／ｎＯ・Ａｌ２Ｏ３・ｘＳｉＯ２・ｙＨ２Ｏ・・・（１）
但し、Ｍ：金属カチオン（例えばナトリウム等）、ｎ：原子価
【００１７】
第１樹脂組成物層１２は、第２樹脂組成物層１３より同一容積の空間に対する除湿能力が高くなっている。なおこの除湿能力は、同一容積の空間の湿度をより低く下げて維持できることをいう。また、第２樹脂組成物層１３は、第１樹脂組成物層１２より吸水可能量が大きくなっている。なおこの吸水可能量は、吸収することが可能な水の量である。
さらに本実施形態では、第１樹脂組成物層１２は、第２樹脂組成物層１３より単位重量当たりの前記除湿能力が高く、第２樹脂組成物層１３は、第１樹脂組成物層１２より単位重量当たりの吸水可能量が大きくなっている。
【００１８】
第１樹脂組成物層１２に含まれる吸湿剤は、第２樹脂組成物層１３に含まれる吸湿剤よりも単位重量当たりの前記除湿能力が高く、第２樹脂組成物層１３に含まれる吸湿剤は、第１樹脂組成物層１２に含まれる吸湿剤よりも単位重量当たりの吸水可能量が大きくなっている。
例えば、第１樹脂組成物層１２に含まれる吸湿剤として、酸化カルシウム等が挙げられ、第２樹脂組成物層１３に含まれる吸湿剤として、硫酸マグネシウム等が挙げられる。吸湿剤は、第１樹脂組成物層１２および第２樹脂組成物層１３にそれぞれ、５０重量％以上配合される。
【００１９】
そして、本実施形態では、第１樹脂組成物層１２と第２樹脂組成物層１３との間に、吸湿剤を含有しないオレフィン系樹脂により形成された中間層１６が介在されている。中間層１６は、第１樹脂組成物層１２、第２樹脂組成物層１３、最外層１５および最内層１４と同様に有底筒状に形成されている。
中間層１６の厚さは、第１樹脂組成物層１２、および第２樹脂組成物層１３の各厚さよりも薄くなっている。なお、中間層１６の厚さは、例えば約３０μｍ〜１００μｍとなっている。また、この調湿容器１において、最内層１４の厚さが最も薄く、第１樹脂組成物層１２の厚さが最も厚くなっている。
【００２０】
例えば、最外層１５および中間層１６は、高密度ポリエチレンで形成され、最内層１４は低密度ポリエチレンで形成され、第１樹脂組成物層１２は、酸化カルシウムが６０重量％配合されたポリエチレンで形成され、第２樹脂組成物層１３は、硫酸マグネシウムが６０重量％配合されたポリエチレンで形成される。
この構成において、例えば、最外層１５および中間層１６の各厚さは互いに同等とされ、最内層１４の厚さは、最外層１５および中間層１６の各厚さの半分とされ、第１樹脂組成物層１２の厚さは、最外層１５および中間層１６の各厚さの５．５倍程度とされ、第２樹脂組成物層１３の厚さは、最外層１５および中間層１６の各厚さの２倍程度とされる。
【００２１】
以上説明したように、本実施形態による調湿容器１によれば、第２樹脂組成物層１３が、第１樹脂組成物層１２を収容室Ａの反対側から囲繞しているので、外気の湿気が最外層１５を透過しても、第２樹脂組成物層１３に吸収されて第１樹脂組成物層１２に到達するのを抑制することができる。しかも、第２樹脂組成物層１３は、第１樹脂組成物層１２より吸水可能量が大きいので、例えば、密封後から開封までの期間が長くなったり、あるいはこの調湿容器１が湿度の高い環境下に置かれたりしても、多量の湿気を第２樹脂組成物層１３に吸収させることが可能になり、第１樹脂組成物層１２に外気の湿気が到達するのを確実に抑えることができる。
したがって、前記除湿能力が第２樹脂組成物層１３より高い第１樹脂組成物層１２に、外気の湿気を吸収させ難くして、収容室Ａ内の湿気を集中して吸収させることが可能になり、収容室Ａの湿度を確実に低く保つことができる。
【００２２】
また、第１樹脂組成物層１２および第２樹脂組成物層１３のうちのいずれか一方に吸収された湿気が他方に移行するのを、第１樹脂組成物層１２と第２樹脂組成物層１３との間の中間層１６により防止することが可能になり、外気の湿気は第２樹脂組成物層１３に吸収させ、かつ収容室Ａの湿気は第１樹脂組成物層１２に吸収させることを確実に実現することができる。
また、最内層１４、第１樹脂組成物層１２、中間層１６、第２樹脂組成物層１３、および最外層１５が、オレフィン系樹脂で形成されているので、これらの各層を強固に接合することを容易かつ確実に実現することができる。
【００２３】
また、中間層１６の厚さが、第１樹脂組成物層１２、および第２樹脂組成物層１３の各厚さよりも薄くなっているので、重量およびコストの上昇、並びに調湿容器１の大型化を抑えることができる。
また、第１樹脂組成物層１２が、第２樹脂組成物層１３より単位重量当たりの前記除湿能力が高く、第２樹脂組成物層１３が、第１樹脂組成物層１２より単位重量当たりの吸水可能量が大きいので、重量およびコストの上昇、並びに調湿容器１の大型化を確実に抑えることができる。
【００２４】
なお、本発明の技術的範囲は前記実施の形態に限定されるものではなく、本発明の趣旨を逸脱しない範囲において種々の変更を加えることが可能である。
【００２５】
例えば、前記実施形態では、中間層１６の厚さを、第１樹脂組成物層１２、および第２樹脂組成物層１３の各厚さよりも薄くしたが、第１樹脂組成物層１２、および第２樹脂組成物層１３の各厚さ以上としてもよい。
また、第１樹脂組成物層１２の単位重量当たりの前記除湿能力を、第２樹脂組成物層１３と比べて同等かそれより小さくしてもよいし、第２樹脂組成物層１３の単位重量当たりの吸水可能量を、第１樹脂組成物層１２と比べて同等かそれより小さくしてもよい。
【００２６】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００２７】
１  調湿容器
１１  壁部
１２  第１樹脂組成物層
１３  第２樹脂組成物層
１４  最内層
１５  最外層
１６  中間層
Ａ  収容室
【図１】
2016193731.tif 000003